(57)【特許請求の範囲】
【請求項１】
容器体２内に内装させたポンプ装置１０から上方付勢させてステム１２を起立し、該ステム上部に、押下げ板１４付きの直筒状ノズル１３を、上記押下げ板を付勢に抗し押下げることで容器体内液体がポンプ装置を介してノズル１３から噴出可能に設けた液体噴出容器本体１と、上記ノズル上部を、キャップ状部材頂壁２２と該頂壁外周から垂下する第１周壁２３前面上部とにかけて穿設した割溝２４の頂壁部分へ回動可能に貫通させると共に、上記第１周壁２３の下部を容器体胴部４の上部外面へ螺降余地を残して螺合させ、又第１周壁２３の後面上部内にレバー２９の基端部を枢着させて、該基端部から斜下前方へ突出する中間板部２９ａ  に設けた透孔３１にノズル１３を回動可能に遊挿させると共に、その透孔の左右両側部下面に付設した半円状板３２，３２の下外面が形成する弧状弯曲面を上記押下げ板上面へ載置し、更に該中間板部前端から垂下する先端板部２９ｂ  を上記割溝の第１周壁部分内へ嵌合ないし、第１周壁２３の前面に沿って垂下させたレバー付き操作キャップ２０と、上記第１周壁２３およびレバー先端板部２９ｂ  の外面へ、第２周壁３６を着脱自在に嵌合させたカバー筒３５とからなり、該カバー筒を外して液体噴出容器本体１を上限まで螺上昇させることで、押下げ板１４が半円状板３２，３２を押上げしてレバー先端板部２９ｂ  を第１周壁２３上部から前下方へ突出可能に形成したことを特徴とするレバー式液体噴出容器。
【発明の詳細な説明】
【０００１】
【発明の属する技術分野】
本発明はレバー式の液体噴出容器に関する。
【０００２】
【従来の技術】
容器体に内装させたポンプ装置から上方付勢させてステムを起立し、該ステム上部に嵌合させた、押下げ板を中間部分に付設した直筒状のノズルを、上記押し下げ板を付勢に抗し押下げることで容器体内液体がポンプ装置を介してノズルから噴出するよう設けた液体噴出容器が知られている。
【０００３】
【発明が解決しようとする課題】
上記液体噴出容器は、例えば鼻孔内への薬液噴霧用として用いられているが、その押下げ板を直接に手で押下げると力を要するからレバーを利用できるようにすることが望ましい。レバーにより液体噴出させる場合は図２が示すようにレバー付きのキャップを上記液体噴出容器に嵌合させることとなるが、このようにするとレバー先端板部がキャップ外方へ突出することとなるため、商品流通過程においても、又消費者が購入した後もその突出部分が邪魔となる不便を生ずることとなる。
【０００４】
本発明は、上記レバー付きキャップを嵌合させた液体噴出容器に、更にカバーを嵌合させることで上記レバー突出部分を垂下させ、液体噴出時にだけ外方へ突出できるよう設けたものである。
【０００５】
【課題を解決するための手段】
容器体２内に内装させたポンプ装置１０から上方付勢させてステム１２を起立し、該ステム上部に、押下げ板１４付きの直筒状ノズル１３を、上記押下げ板を付勢に抗し押下げることで容器体内液体がポンプ装置を介してノズル１３から噴出可能に設けた液体噴出容器本体１と、上記ノズル上部を、キャップ状部材頂壁２２と該頂壁外周から垂下する第１周壁２３前面上部とにかけて穿設した割溝２４の頂壁部分へ回動可能に貫通させると共に、上記第１周壁２３の下部を容器体胴部４の上部外面へ螺降余地を残して螺合させ、又第１周壁２３の後面上部内にレバー２９の基端部を枢着させて、該基端部から斜下前方へ突出する中間板部２９ａ  に設けた透孔３１にノズル１３を回動可能に遊挿させると共に、その透孔の左右両側部下面に付設した半円状板３２，３２の下外面が形成する弧状弯曲面を上記押下げ板上面へ載置し、更に該中間板部前端から垂下する先端板部２９ｂ  を上記割溝の第１周壁部分内へ嵌合ないし、第１周壁２３の前面に沿って垂下させたレバー付き操作キャップ２０と、上記第１周壁２３およびレバー先端板部２９ｂ  の外面へ、第２周壁３６を着脱自在に嵌合させたカバー筒３５とからなり、該カバー筒を外して液体噴出容器本体１を上限まで螺上昇させることで、押下げ板１４が半円状板３２，３２を押上げしてレバー先端板部２９ｂ  を第１周壁２３上部から前下方へ突出可能に形成した。
【０００６】
【発明の実施の形態】
１は、従来公知の液体噴出容器本体であって、容器体２に内装させたポンプ装置１０からステム１２を起立し、該ステム上部に押下げ板１４付きの直筒状ノズル１３を嵌合させ、上記押下げ板を付勢に抗し押下げることで容器体内液体がノズル１３上端から噴出可能に設けたものである。
【０００７】
尚図示例の容器体２は、本発明構成部材としての構成を有するもので、底壁３外周から起立する胴部４を下方から大外径部４ａ、中外径部４ｂ、小外径部４ｃとして、中外径部４ｂ上端に係合突条５を周設すると共に、該係合突条直下の中外径部分には複数の第１回り止め突子６を縦設している。又小外径部４ｃには雄ねじ７を付設し、胴部上端からは肩部８を介して外面に螺条を有する口頸部９を起立している。
【０００８】
ポンプ装置１０として、図示例では蓄圧式ポンプとしたが、シリンダ１１内に筒状ピストンを嵌合させ、該ピストンからステムを起立する通常のポンプとしてもよいことは云うまでもない。
【０００９】
上記ポンプ装置から上方付勢されて起立するステム１２には直筒式のノズル１３の下部を嵌着させている。該ノズルは中間やや下方に外向きフランジ状に押下げ板１４を付設している。
【００１０】
尚ノズル上端部内には噴霧孔付きの栓１５を嵌着している。
２０はレバー付きの操作キャップで、該キャップは、キャップ状部材とレバーとからなる。
【００１１】
キャップ状部材２１は、頂壁２２外周から第１周壁２３を垂下すると共に、上記頂壁から第１周壁前面の上半部にかけて、やや巾広の割溝２４を穿設し、その割溝下端よりもやや下方に上向き段部２５を設けてその下方第１周壁部分を大外径部とし、更に、その大外径部の下半を肉薄の大内径部とし、かつ該大内径部上方の大外径部内面に雌ねじ２６を螺設している。その雌ねじ２６は、その下部を容器体胴部の雄ねじ７上部へ螺降余地を残して、即ち液体噴出容器本体の螺上昇余地を残して浅く螺合し、又大内径部下端内面に複数の第２回り止め突子２７を付設してこれ等突子を既述第１回り止め突子６間に嵌合させることで、又第２回り止め突子２７を係合突条５下面へ係合させることで、該キャップ状部材２１が容器体胴部から螺脱することを防止している。尚既述割溝２４の頂壁部分にはノズル１３上部を回動可能に貫通させている。
【００１２】
キャップ状部材２１の第１周壁２３の後壁上部内面の左右両部には軸受け２８，２８を付設し、これ等軸受けにレバー２９の基端部に横設した軸３０の左右両端部を枢着させる。レバー２９はその基端部から斜下前方へ突出する中間板部２９ａ  に透孔３１を穿設して該透孔にノズル１３を回動可能に遊挿させ、又その透孔の左右両側部下面に付設した半円状板３２，３２の下外面が形成する弧状弯曲面を既述押下げ板１４上面へ載置する。更にその中間板部前端から先端板部２９ｂ  を垂下し、該先端板部の内面部分を既述割溝２４の第１周壁部分内へ嵌合させている。
【００１３】
キャップ状部材２１の螺降距離、従って液体噴出容器本体１の螺上昇距離は、図２が示すように、第１周壁２３下端が容器体胴部の大外径部４ａ上端に接するまでとし、このときレバー２９は、押下げ板１４が半円状板３２，３２を押上げることで中間板部２９ａ  が水平に、従って先端板部２９ｂ  が第１周壁２３上部から前下方へ突出するよう設けておく。
【００１４】
３５はカバー筒で、既述上向き段部２５上方の第１周壁２３部分外面へ着脱自在に嵌合させる第２周壁３６を、球面状に形成した頂部外周から垂下する。該第２周壁３６の下部内面と該第２周壁を嵌合させる第１周壁部分の下部外面とには凹凸の係合手段を設けてカバー筒が不用意に離脱することを防止することが望ましい。
【００１５】
容器使用の際は、まずカバー筒３５を外し、次に液体噴出容器本体１をレバー付き操作キャップ２０に対して上限まで螺上昇させる。すると、半円状板３２が押下げ板１４により押上げられることで、図２のようにレバー２９の先端板部２９ｂ  が前下方へ突出する。該突出部分下端を第１周壁２３側へ押込むとノズル１３が下降し、ポンプが作動することで容器体内液体がノズルから噴出する。
【００１６】
容器の組立ての一例を示すと、まず従来行われている順序で液体噴出容器本体１を組立てておき、次いでキャップ状部材２１内へレバー２９基端部を差込み、下面を開口させて設けた軸受け２８，２８の軸孔内に軸３０両端を嵌合させてレバー基端部を枢着させ、レバー先端板部２９ｂ  は割溝２４内、又は割溝を通って第１周壁２３前面に沿って垂下させる。
【００１７】
このようにしてレバー付きの操作キャップ２０を形成した後、キャップ状部材２１内へ液体噴出容器本体１の上部を透孔３１と割溝２４の頂壁部分内へノズル１３の上部を挿通させて差込み、該状態から液体噴出容器本体１又はキャップ状部材２１を回して第１周壁２３下部を容器体２胴部の上部外面へ浅く螺合させる。該螺合により第１周壁２３下部内面の第１回り止め突子６は中外径部４ｂ上端外面の係合突条５を弾性に抗し乗越えして、第２回り止め突子２７…間に嵌合される。このためキャップ状部材２１は弾性に富む合成樹脂材で成形するとよい。次いでレバーの先端板部２９ｂ  が外方へ突出している場合は、割溝２４の第１周壁２３部分側へ押付けておき、カバー筒３５の第２周壁３６を第１周壁２３の外面へ嵌合させればよい。
【００１８】
【発明の効果】
本発明は既述構成とするもので、押下げ板１４付きのノズル１３を起立する液体噴出容器本体１の容器体胴部４の上部外面へ、レバー２９の中間板部２９ａ  およびキャップ状部材２１の頂壁２２に回動可能にレバー上部を挿通させて、レバー付き操作キャップ２０の第１周壁２３下部を、螺降余地を残して螺合させると共に、レバー中間板部２９ａ  の左右両側に付設した半円状板３２の下外面が形成する弧状弯曲面をノズルの押下げ板上面へ載置させ、又レバーの先端板部２９ｂ  を第１周壁２３の割溝２４部分内へ嵌合ないし第１周壁の前面に沿って垂下させ、更に第１周壁２３および上記先端板部２９ｂ  の外面へ着脱自在にカバー筒３５の第２周壁３６を嵌合させたから、レバーの先端板部２９ｂ  が外方へ突出して邪魔となることがなく、従ってレバーの該作動を防止できると共に幼児の悪戯防止、いわゆるチャイルドレジスタンスが可能となり、又レバー使用の際は、上記カバー筒３５を外して、液体噴出容器本体１を上限まで螺上昇させるとレバー２９がポンプ操作可能な位置まで変位することとなり、よってその操作は極めて容易である。
【図面の簡単な説明】
【図１】本発明容器の縦断面図である。
【図２】液体噴出操作が可能とした状態で示す、縦断面図である。
【図３】図２と異なる位置での縦断面図である。
【図４】図３容器の平面図である。
【符号の説明】
１０…ポンプ装置            ２０…レバー付き操作キャップ
２１…キャップ状部材        ２９…レバー
３５…カバー筒
【図１】
0003614549.tif 000002
【図２】
0003614549.tif 000003
【図３】
0003614549.tif 000004
【図４】
0003614549.tif 000005